(57)【要約】【課題】磁着力によって結合される既設のコンセント側のアダプタと機器側のアダプタとの結合状態が容易に確認できるマグネット式コンセントアダプタを提供する。【解決手段】第１のアダプタ半体１と第２のアダプタ半体２とはマグネット１４と吸引板２３との間に磁着力が作用することによって互いに結合され、第２のアダプタ半体２の器体２１の前面の角部には、ネオンランプ２５が設けられており、ネオンランプ２５は、第１のアダプタ半体１に第２のアダプタ半体２が正常に装着され、端子ピン２２がピン受孔１３ｂに正常に挿入されると、第１のアダプタ半体１から第２のアダプタ半体２に供給される電源によって点灯する。【選択図】        図１
2004206973.tif 000002
【特許請求の範囲】
【請求項１】
既設のコンセントに挿抜可能な栓刃が突設されるとともに該栓刃に電気的に接続された端子部を備える第１のアダプタ半体と、第１のアダプタ半体に対して着脱可能に結合され、第１のアダプタ半体の端子部に電気的に接続可能な端子ピンが突設されるとともに該端子ピンに電気的に接続されかつ前記コンセントに挿抜可能なプラグに設けたプラグ栓刃を受ける刃受け部を備える第２のアダプタ半体とからなり、第１のアダプタ半体と第２のアダプタ半体とは一方に設けたマグネットと他方に設けた磁性体よりなる磁着片との間に作用する磁着力によって結合され、該結合状態を示す表示手段を第１のアダプタ半体と第２のアダプタ半体とのいずれか一方に設けたことを特徴とするマグネット式コンセントアダプタ。
【請求項２】
第２のアダプタ半体は、前記結合状態の表示手段として、第１のアダプタ半体から供給される電源によって点灯する点灯手段を備えることを特徴とする請求項１記載のマグネット式コンセントアダプタ。
【請求項３】
前記結合状態の表示手段は、第１のアダプタ半体と第２のアダプタ半体とが正常に結合した場合に突出する突起であることを特徴とする請求項１記載のマグネット式コンセントアダプタ。
【請求項４】
第１のアダプタ半体は既設のコンセントの取り付け枠に固定される固定手段を備えることを特徴とする請求項１乃至３いずれか記載のマグネット式コンセントアダプタ。
【請求項５】
第１のアダプタ半体の栓刃は、電源コードを介して端子部に接続されることを特徴とする請求項１乃至３いずれか記載のマグネット式コンセントアダプタ。
【請求項６】
第１のアダプタ半体と第２のアダプタ半体とのいずれか一方に設けたマグネットは、電磁石であることを特徴とする請求項１乃至５いずれか記載のマグネット式コンセントアダプタ。
【請求項７】
第１のアダプタ半体は器体の同一面に複数の端子部を備え、隣り合う端子部間にリブを立設することを特徴とする請求項１乃至６いずれか記載のマグネット式コンセントアダプタ。
【請求項８】
第１のアダプタ半体は器体の異なる外面に各々設けられた複数の端子部を備えることを特徴とする請求項５記載のマグネット式コンセントアダプタ。
【発明の詳細な説明】
【０００１】
【発明の属する技術分野】
本発明は、既設のコンセントとそのコンセントに接続可能なプラグとの間に介装されて商用電源を供給するマグネット式コンセントアダプタに関するものである。
【０００２】
【従来の技術】
既設のコンセントとそのコンセントに接続可能なプラグとの間に介装されて商用電源を供給する従来のマグネット式コンセントアダプタは、第１のアダプタ半体と第２のアダプタ半体とから構成されており、第２のアダプタ半体は第１のアダプタ半体に対して着脱可能に結合されるものである。
【０００３】
第１のアダプタ半体は、平行に配置した平板状の一対の栓刃が突設された第１のプラグ部を備えて既設のコンセントに挿抜可能であるとともに、第１のプラグ部に電気的に接続された端子部を備える。第２のアダプタ半体は、第１のアダプタ半体の端子部に電気的に接続可能な端子ピンが突設されるとともに、端子ピンに電気的に接続され、かつ既設のコンセントに挿抜可能なプラグに平行に配置された平板状の一対のプラグ栓刃を受ける刃受け部を備える。そして、第１のアダプタ半体と第２のアダプタ半体とは、第１のアダプタ半体に設けたマグネットと、第２のアダプタ半体に設けた磁性体よりなる磁着片との間に作用する磁着力によって結合されるものである。（例えば、特許文献１参照。）
【０００４】
【特許文献１】
特開平１０−１３４９１８号公報（３頁右欄第２８行〜第４５行、４頁左欄第３９行〜右欄第１８行、図１，図３）
【０００５】
【発明が解決しようとする課題】
しかし、上記従来のマグネット式コンセントアダプタは、第１のアダプタ半体と第２のアダプタ半体との結合部は外から見えないため正常に結合しているか否かを確認することができず、使用者にとっては接続した機器の動作によってしか結合状態の確認を行うことができなくて、使い勝手の悪いものであった。
【０００６】
本発明は、上記事由に鑑みてなされたものであり、その目的は、互いに磁着力によって結合される既設のコンセント側のアダプタと機器側のアダプタとの結合状態が容易に確認できるマグネット式コンセントアダプタを提供することにある。
【０００７】
【課題を解決するための手段】
請求項１の発明は、既設のコンセントに挿抜可能な栓刃が突設されるとともに該栓刃に電気的に接続された端子部を備える第１のアダプタ半体と、第１のアダプタ半体に対して着脱可能に結合され、第１のアダプタ半体の端子部に電気的に接続可能な端子ピンが突設されるとともに該端子ピンに電気的に接続されかつ前記コンセントに挿抜可能なプラグに設けたプラグ栓刃を受ける刃受け部を備える第２のアダプタ半体とからなり、第１のアダプタ半体と第２のアダプタ半体とは一方に設けたマグネットと他方に設けた磁性体よりなる磁着片との間に作用する磁着力によって結合され、該結合状態を示す表示手段を第１のアダプタ半体と第２のアダプタ半体とのいずれか一方に設けたことを特徴とする。
【０００８】
請求項２の発明は、請求項１において、第２のアダプタ半体は、前記結合状態の表示手段として、第１のアダプタ半体から供給される電源によって点灯する点灯手段を備えることを特徴とする。
【０００９】
請求項３の発明は、請求項１において、前記結合状態の表示手段は、第１のアダプタ半体と第２のアダプタ半体とが正常に結合した場合に突出する突起であることを特徴とする。
【００１０】
請求項４の発明は、請求項１乃至３いずれかにおいて、第１のアダプタ半体は既設のコンセントの取り付け枠に固定される固定手段を備えることを特徴とする。
【００１１】
請求項５の発明は、請求項１乃至３いずれかにおいて、第１のアダプタ半体の栓刃は、電源コードを介して端子部に接続されることを特徴とする。
【００１２】
請求項６の発明は、請求項１乃至５いずれかにおいて、第１のアダプタ半体と第２のアダプタ半体とのいずれか一方に設けたマグネットは、電磁石であることを特徴とする。
【００１３】
請求項７の発明は、請求項１乃至６いずれかにおいて、第１のアダプタ半体は器体の同一面に複数の端子部を備え、隣り合う端子部間にリブを立設することを特徴とする。
【００１４】
請求項８の発明は、請求項５において、第１のアダプタ半体は器体の異なる外面に各々設けられた複数の端子部を備えることを特徴とする。
【００１５】
【発明の実施の形態】
以下、本発明の実施の形態を図面に基づいて説明する。
【００１６】
（実施形態１）
本発明は、図１、図２（ａ）〜（ｃ）、図３、図４に示すように、着脱自在に結合される第１のアダプタ半体１（商用電源接続器）と第２のアダプタ半体２とからなる。第１のアダプタ半体１の器体１１は絶縁材料である合成樹脂により函体に形成され、器体１１の後面からは一対の栓刃１２が突出している。両栓刃１２は平板状であって平行に配置される。つまり、多く用いられている既設のコンセントに接続可能となるように栓刃１２が配置される。
【００１７】
また器体１１の前面には２つのガイド凹所１３ａが両端方向に並設され、各ガイド凹所１３ａの底面には略円形に開口する一対のピン受孔１３ｂが貫設され、各ピン受孔１３ｂを介した器体１１の内部には、各栓刃１２に結合した端子板（図示なし）が配されており、端子部１３を形成している。各ピン受孔１３ｂの両側方には磁化されているマグネット（磁極板）１４の一部が露出している。器体１１の一端面にはコンセント１５が設けられている。
【００１８】
次に、第２のアダプタ半体２は、第１のアダプタ半体１のガイド凹所１３ａに各々着脱自在に結合されるもので、その器体２１の後端部は、第１のアダプタ半体１に設けたガイド凹所１３ａに嵌合する形状に形成され、ガイド凹所１３ａの開口端に係止する段部２１ａをその周縁に設ける。そして後面にはピン受孔１３ｂに挿入される一対の端子ピン２２を備える。したがって、第１のアダプタ半体１に第２のアダプタ半体２を結合する際に端子ピン２２とピン受孔１３ｂとの位置合わせが容易になり、かつ端子ピン２２をピン受け孔１３ｂに対して傾きなく滑らかに挿入することができる。
【００１９】
マグネット１４と対向する器体２１の後面には磁性体よりなる吸引板２３が取り付けられており、端子ピン２２をピン受孔１３ｂに挿入した状態で、吸引板２３とマグネット１４との間に磁着力が作用することによって、第１のアダプタ半体１と第２のアダプタ半体２とが互いに結合されるようになっている。
【００２０】
また器体２１の内部には、端子ピン２２に電気的に接続され、かつ機器等に一端を接続したプラグ３の他端に設けた一対のプラグ栓刃３１が挿入される刃受け部（図示なし）が配されており、前面に形成した弧状に形成された一対の栓刃挿入口２４にプラグ栓刃３１を挿入することで、プラグ栓刃３１は刃受け部に挿入される。そして、プラグ栓刃３１を弧状の栓刃挿入口２４に沿って回動させることで、プラグ栓刃３１の抜け止めを施すことができる。
【００２１】
実際の使用状態は図４に示すように、構造体、例えば壁に取り付けられた既設の壁コンセント６に第１のアダプタ半体１の栓刃１２を挿入すると、壁コンセント６からの交流電源が、栓刃１２、端子部１３、端子ピン２２、プラグ栓刃３１を介して、機器等へ供給される。
【００２２】
ここで、器体２１の前面の角部には、ネオンランプ２５が設けられており、ネオンランプ２５は、第１のアダプタ半体１に第２のアダプタ半体２が正常に装着され、端子ピン２２がピン受孔１３ｂに正常に挿入されると、第１のアダプタ半体１から第２のアダプタ半体２に供給される電源によって点灯する。このようにネオンランプ２５の点灯状態によって、第１のアダプタ半体１に第２のアダプタ半体２が正常に装着されたか否かを確認することができ、中途半端な装着状態を防ぐことができるとともに、通電表示の機能も果たすことができる。
【００２３】
また、第１のアダプタ半体１と第２のアダプタ半体２とは磁着力によって結合しているので、第２のアダプタ半体２を横方向に倒せば簡単に外すことができ、第２のアダプタ半体２の抜き差しを容易に行うことができる。したがって、力の弱い高齢者、子供、身障者、女性でも操作可能である。
【００２４】
さらに、既設のコンセントをマグネット式のコンセントに取り換えるには電気工事士の資格が必要であるが、本実施形態では、現状のコンセントに第１のアダプタ半体１、第２のアダプタ半体２を装着するだけで、着脱容易なコンセントに簡単に変更することができる。
【００２５】
なお、上記本実施形態は、壁コンセント６に取り付けた状態では、第２のアダプタ半体２を第１のアダプタ半体１の前面に装着する前面装着タイプであるが、栓刃１２及び端子部１３を設ける各面を互いに垂直方向の面とすることで、図５に示す第２のアダプタ半体２を第１のアダプタ半体１の側面に装着する側面装着タイプ、図６に示すように第２のアダプタ半体２を第１のアダプタ半体１の下面に装着する下面装着タイプを構成することができる。
【００２６】
また、第１のアダプタ半体１に吸引板を設け、第２のアダプタ半体２にマグネットを設けてもよい。
【００２７】
（実施形態２）
図７〜図９に示す本実施形態では第１のアダプタ半体１に第２のアダプタ半体２が正常に装着されたか否かを確認するため、実施形態１のネオンランプ２５の代わりに、第２のアダプタ半体２の前後面を挿通する棒体２６を前面に突出させるものであり、実施形態１と同様の構成には同一の記号を付して説明は省略する。
【００２８】
第２のアダプタ半体２を第１のアダプタ半体１から取り外したときは、図８（ａ），（ｂ）に示すように、一端を第２のアダプタ半体２の内底面に、他端を棒体２６の側面に設けた凸部２８に接続したコイルばね２７のばね力によって、棒体２６はその後端を器体２１の後面に突出させる。
【００２９】
第２のアダプタ半体２を第１のアダプタ半体１に正常に装着したときは、図９（ａ），（ｂ）に示すように、第１のアダプタ半体１のガイド凹所１３ａの底面に棒体２６の後端が当接して押圧されることで、コイルばね２７のばね力に抗して棒体２６はその前端を器体２１の前面に突出させる。このように棒体２６の突出状態によって、第１のアダプタ半体１に第２のアダプタ半体２が正常に装着されたか否かを確認することができる。
【００３０】
（実施形態３）
図１０、図１１に示す本実施形態では第１のアダプタ半体１に第２のアダプタ半体２が正常に装着されたか否かを確認するため、実施形態１のネオンランプ２５の代わりに、第１のアダプタ半体１の前面を挿通する棒体１７を前面に突出させるものであり、実施形態１と同様の構成には同一の記号を付して説明は省略する。
【００３１】
図１１（ａ），（ｂ）に示すように第１のアダプタ半体１は、断面が台形状の当接片１６を備えており、当接片１６の一端側斜面はガイド凹所１３ａの上壁面からガイド凹所１３ａ内に突出し、両端方向に摺動可能としている。棒体１７の後端は、第２のアダプタ半体２を第１のアダプタ半体１から取り外しているときに当接片１６の他端側斜面と当接する斜面を設けており、図１１（ａ）に示すように棒体１７の前端は器体１１の前面に少しだけ突出した状態となる。
【００３２】
第２のアダプタ半体２を第１のアダプタ半体１に正常に装着したときは、図１１（ｂ）に示すように、第２のアダプタ半体２の器体２１の後端がガイド凹所１３ａ内に突出した当接片１６の一端側斜面に当接した状態で、当接片１６を器体１１内に押し込む方向に摺動させる。押し込まれた当接片１６の他端側斜面上を棒体１７の後端側の斜面が前面方向に摺動し、棒体１７の前端は器体１１の前面に完全に突出した状態となる。このように棒体１７の突出状態によって、第１のアダプタ半体１に第２のアダプタ半体２が正常に装着されたか否かを確認することができる。
【００３３】
（実施形態４）
図１２に示す本実施形態では、第１のアダプタ半体１を壁コンセント６に差し込む際に、第１のアダプタ半体１と壁コンセント６とを仮固定するために、第１のアダプタ半体１を壁コンセント６の取付枠５に固定するものであり、実施形態１と同様の構成には同一の記号を付して説明は省略する。
【００３４】
まず、上下に２つ連設された壁コンセント６の取付枠５の前面に覆設するコンセントプレートを、その上下端にネジ孔４２を設けたコンセントプレート４に変更し、コンセントプレート４は略中央の開口４１に壁コンセント６が露出するように嵌めて、ネジＡ１を上端側のネジ孔４２に挿通して取付枠５のネジ孔５１に螺合させる。第１のアダプタ半体１はその器体１１の略中央にネジ孔１９を穿設しており、例えば栓刃１２を下側の壁コンセント６に差し込んだ後、長めのネジＡ２をネジ孔１９及び下端側のネジ孔４２に挿通して取付枠５のネジ孔５１に螺合させることで、取付枠５に固定することができる。
【００３５】
また、図１３に示すように第１のアダプタ半体１の器体１１をコンセントプレート４と一体に形成した器体１１’とすれば、ネジＡ３を器体１１’の上下端に設けたネジ孔１８を各々挿通して取付枠５のネジ孔５１に螺合させることで、取付枠５に固定することができる。
【００３６】
（実施形態５）
図１４（ａ），（ｂ），（ｃ）、図１５、図１６に示す本実施形態は、壁コンセント６に差し込む栓刃１２を電源プラグ７ｂに設け、電源コード７ａを介して器体１内の端子板に接続したテーブルタップ形状としたもので、第１のアダプタ半体１の設置場所の制限が無くなり、設置範囲が広がるものである。さらに本実施形態では第１のアダプタ半体１を装着する端子部１３を２つ設けているが、設置場所の制限が無くなることで端子部１３の数をさらに増やすこともできる。なお、実施形態１と同様の構成には同一の記号を付して説明は省略する。
【００３７】
（実施形態６）
本実施形態は、第１のアダプタ半体１のマグネット１４を電磁石としたもので、実施形態１と同様の構成には同一の記号を付して説明は省略する。
【００３８】
図１７は本実施形態の第１のアダプタ半体１の回路構成を示すもので、栓刃１２間はコイルＬ、端子部１３、コイルＬの並列回路が２組接続され、終端にはコンセント１５が接続されており、コイルＬを固定鉄心１４ａに巻回してマグネット１４を構成している。そして、栓刃１２を壁コンセント６に差し込むことで、商用電源ＡＣからの電流がコイルＬに供給されて、固定鉄心１４’とともに電磁石となって、第２のアダプタ半体２の吸引板２３が吸着する。
【００３９】
栓刃１２を壁コンセント６から抜く、あるいは第１のアダプタ半体１内の回路にスイッチを付加して電源をオフすることで、電磁石動作は停止し、第１のアダプタ半体１から第２のアダプタ半体２を簡単に取り外すことができる。
【００４０】
（実施形態７）
図１８、図１９に示す本実施形態は、第１のアダプタ半体１において、同一面に形成されて隣り合う端子部１３の間にリブ２９を立設しており、隣り合って装着された第２のアダプタ半体２が互いに接触せず、１つの第２のアダプタ半体２を取り外すときに隣り合わせた第２のアダプタ半体２が接触しない構成となっている。実施形態１または５と同様の構成には同一の記号を付して説明は省略する。
【００４１】
（実施形態８）
図２０に示す本実施形態は、実施形態５の電源コード７ａを備えたテーブルタップ形状とした第１のアダプタ半体１の前面、上端、両側面に１個ずつの端子部１３を設けて、各面に１個の第２のアダプタ半体２を装着したもので、１つの第２のアダプタ半体２を取り外すときに隣り合わせた第２のアダプタ半体２が接触しない構成となっている。
【００４２】
また、第２のアダプタ半体２の装着状態を示すネオンランプ２５は器体２１の前面だけでなく、側面にも設けられて、装着される面に関わらずネオンランプ２５の点灯状態を確認できる。
【００４３】
なお、上記実施形態４〜８において、第１のアダプタ半体１と第２のアダプタ半体２との結合状態を示す表示手段として実施形態１で説明したネオンランプ２５を備えているが、実施形態２で説明した第２のアダプタ半体２の前後面を挿通する棒体２６を用いた表示手段、または実施形態３で説明した第１のアダプタ半体１の前面を挿通する棒体１７を用いた表示手段を代わりに備えてもよい。
【００４４】
【発明の効果】
請求項１の発明は、既設のコンセントに挿抜可能な栓刃が突設されるとともに該栓刃に電気的に接続された端子部を備える第１のアダプタ半体と、第１のアダプタ半体に対して着脱可能に結合され、第１のアダプタ半体の端子部に電気的に接続可能な端子ピンが突設されるとともに該端子ピンに電気的に接続されかつ前記コンセントに挿抜可能なプラグに設けたプラグ栓刃を受ける刃受け部を備える第２のアダプタ半体とからなり、第１のアダプタ半体と第２のアダプタ半体とは一方に設けたマグネットと他方に設けた磁性体よりなる磁着片との間に作用する磁着力によって結合され、該結合状態を示す表示手段を第１のアダプタ半体と第２のアダプタ半体とのいずれか一方に設けたので、互いに磁着力によって結合される第１のアダプタ半体と第２のアダプタ半体との結合状態が容易に確認でき、使い勝手の向上を図ることができるという効果がある。
【００４５】
請求項２の発明は、請求項１において、第２のアダプタ半体は、前記結合状態の表示手段として、第１のアダプタ半体から供給される電源によって点灯する点灯手段を備えるので、点灯手段の点灯状態で、第１のアダプタ半体と第２のアダプタ半体との結合状態とを容易に確認することができるとともに、通電表示の機能も果たすことができるいう効果がある。
【００４６】
請求項３の発明は、請求項１において、前記結合状態の表示手段は、第１のアダプタ半体と第２のアダプタ半体とが正常に結合した場合に突出する突起であるので、突起の状態で、第１のアダプタ半体と第２のアダプタ半体との結合状態とを容易に確認することができるという効果がある。
【００４７】
請求項４の発明は、請求項１乃至３いずれかにおいて、第１のアダプタ半体は既設のコンセントの取り付け枠に固定される固定手段を備えるので、第１のアダプタ半体がコンセントから外れるという不具合がなくなるという効果がある。
【００４８】
請求項５の発明は、請求項１乃至３いずれかにおいて、第１のアダプタ半体の栓刃は、電源コードを介して端子部に接続されるので、設置場所の制限が無くなり、設置範囲が広がるという効果がある。
【００４９】
請求項６の発明は、請求項１乃至５いずれかにおいて、第１のアダプタ半体と第２のアダプタ半体とのいずれか一方に設けたマグネットは、電磁石であるので、電磁石の電源をオフにすれば、第１のアダプタ半体から第２のアダプタ半体を簡単に取り外すことができるという効果がある。
【００５０】
請求項７の発明は、請求項１乃至６いずれかにおいて、第１のアダプタ半体は器体の同一面に複数の端子部を備え、隣り合う端子部間にリブを立設するので、隣り合って装着された第２のアダプタ半体同士の接触を防ぐことができ、１つの第２のアダプタ半体を取り外すときに隣り合わせた第２のアダプタ半体が接触しないという効果がある。
【００５１】
請求項８の発明は、請求項５において、第１のアダプタ半体は器体の異なる外面に各々設けられた複数の端子部を備えるので、隣り合って装着された第２のアダプタ半体同士の接触を防ぐことができ、１つの第２のアダプタ半体を取り外すときに隣り合わせた第２のアダプタ半体が接触しないという効果がある。
【図面の簡単な説明】
【図１】本発明の実施形態１の構成を示す斜視図である。
【図２】（ａ）同上の構成を示す前面図である。
（ｂ）同上の構成を示す側面図である。
（ａ）同上の構成を示す下端図である。
【図３】同上の第２のアダプタ半体の後面図である。
【図４】同上の使用状態を示す斜視図である。
【図５】同上の側面装着タイプの構成を示す斜視図である。
【図６】同上の下面装着タイプの構成を示す斜視図である。
【図７】本発明の実施形態２の構成を示す斜視図である。
【図８】（ａ）第２のアダプタ半体を第１のアダプタ半体から取り外したときの同上の概略断面図である。
（ｂ）同上のスプリングコイルを示す拡大図である。
【図９】（ａ）第２のアダプタ半体を第１のアダプタ半体に装着したときの同上の概略断面図である。
（ｂ）同上のスプリングコイルを示す拡大図である。
【図１０】本発明の実施形態３の構成を示す斜視図である。
【図１１】（ａ）第２のアダプタ半体を第１のアダプタ半体から取り外したときの同上の側面図である。
（ｂ）第２のアダプタ半体を第１のアダプタ半体に装着したときの同上の側面図である。
【図１２】本発明の実施形態４の取付枠への第１の取付構成を示す斜視図である。
【図１３】本発明の実施形態４の取付枠への第２の取付構成を示す斜視図である。
【図１４】（ａ）本発明の実施形態５の構成を示す前面図である。
（ｂ）同上の構成を示す側面図である。
（ａ）同上の構成を示す下端図である。
【図１５】同上の構成を示す斜視図である。
【図１６】同上の概略分解斜視図である。
【図１７】本発明の実施形態６の第１のアダプタ半体の回路構成図である。
【図１８】本発明の実施形態７の第１の構成を示す斜視図である。
【図１９】本発明の実施形態７の第２の構成を示す斜視図である。
【図２０】本発明の実施形態８の構成を示す斜視図である。
【符号の説明】
１      第１のアダプタ半体
２      第２のアダプタ半体
１１    器体
１２    栓刃
１３    端子部
１３ａ  ガイド凹所
１３ｂ  ピン受孔
１４    マグネット
２１    器体
２４    栓刃挿入口
２５    ネオンランプ
【図１】
2004206973.tif 000003
【図２】
2004206973.tif 000004
【図３】
2004206973.tif 000005
【図４】
2004206973.tif 000006
【図５】
2004206973.tif 000007
【図６】
2004206973.tif 000008
【図７】
2004206973.tif 000009
【図８】
2004206973.tif 000010
【図９】
2004206973.tif 000011
【図１０】
2004206973.tif 000012
【図１１】
2004206973.tif 000013
【図１２】
2004206973.tif 000014
【図１３】
2004206973.tif 000015
【図１４】
2004206973.tif 000016
【図１５】
2004206973.tif 000017
【図１６】
2004206973.tif 000018
【図１７】
2004206973.tif 000019
【図１８】
2004206973.tif 000020
【図１９】
2004206973.tif 000021
【図２０】
2004206973.tif 000022